(57)【特許請求の範囲】
【請求項１】
携帯型情報処理端末を、
燃焼装置の故障の原因になる所定の環境要素の状況を検出する検出部、
前記携帯型情報処理端末が前記燃焼装置の設置場所の周辺に存在するか否かを判定する位置判定部、
前記携帯型情報処理端末が、前記燃焼装置の設置場所の周辺に存在する場合に前記検出部による検出結果のログを記録する記録部、
として機能させ、
前記環境要素は、無線電波によるノイズを含み、
前記検出部は、前記携帯型情報処理端末が備えるタッチセンサのノイズ耐性処理の稼働状況に基づいて前記ノイズのレベルを推定する
ことを特徴とするプログラム。
【請求項２】
携帯型情報処理端末を、
燃焼装置の故障の原因になる所定の環境要素の状況を検出する検出部、
前記携帯型情報処理端末が前記燃焼装置の設置場所の周辺に存在するか否かを判定する位置判定部、
前記燃焼装置から故障の発生を示す故障情報を取得する故障情報取得部、
前記携帯型情報処理端末が、前記燃焼装置の設置場所の周辺に存在する場合に前記検出部による検出結果のログと前記故障情報とを時間的に対応付けて記録する記録部、
として機能させる
ことを特徴とするプログラム。
【請求項３】
前記携帯型情報処理端末を、
前記記録部に記録されている前記故障情報と前記ログとに基づいて、前記故障情報が示す故障の原因を推定する推定部としてさらに機能させる
ことを特徴とする請求項２に記載のプログラム。
【請求項４】
前記環境要素は、無線電波によるノイズを含み、
前記検出部は、前記携帯型情報処理端末が備えるタッチセンサのノイズ耐性処理の稼働状況に基づいて前記ノイズのレベルを推定する
ことを特徴とする請求項２または３に記載のプログラム。
【請求項５】
前記携帯型情報処理端末は、全地球測位システムによって自端末の位置を認識する機能を備え、
前記携帯型情報処理端末を、前記全地球測位システムによって認識した自端末の位置の履歴に基づいて、前記燃焼装置の設置場所を特定する設置場所特定部としてさらに機能させる
ことを特徴とする請求項１乃至４のいずれか１つに記載のプログラム。
【請求項６】
前記環境要素は、気温、湿度の少なくとも一方を含む、
ことを特徴とする請求項１乃至５のいずれか１つに記載のプログラム。
【発明の詳細な説明】
【技術分野】
【０００１】
本発明は、燃焼装置の故障の原因を突き止めるための情報を収集するように携帯型情報処理端末を機能させるプログラムに関する。
【背景技術】
【０００２】
風呂給湯器などの燃焼装置では、再現性の悪い故障が生じることがある。たとえば、昨日の夜は動作に不具合があったが、今日の朝は正常に動作し、数日後の夕方からまた動作がおかしくなる、といったことがある。
【０００３】
このような再現性の悪い故障の原因は、気象条件や違法な無線通信によるノイズなどがあるが、たとえば、ノイズを検出するセンサを個々の燃焼装置に搭載することは装置コストの上昇などから現実的でない。そのため、再現性の悪い故障の修理依頼を受けた場合には、専用のモニタ装置を設置して観測するといった対応が採られる。
【０００４】
大型装置においては、迅速な保守を可能とするために、遠隔監視システムを設け、故障の原因を究明するための各種のテストを管理センターから通信を介して遠隔から行う技術がある（たとえば、特許文献１参照。）。
【先行技術文献】
【特許文献】
【０００５】
【特許文献１】特開２００２−２７７０３２号公報
【発明の概要】
【発明が解決しようとする課題】
【０００６】
専用のモニタ装置を設置する方法では、モニタ装置を設置して観測を開始し、該当の故障が生じた旨の連絡を顧客から受けたら、該モニタ装置を回収して解析するので、サービスマンによる設置と回収の少なくとも２回の出張が必要になり、手間がかかる。また、家庭用の燃焼装置に、大型装置と同様の遠隔監視システムを導入することは難しい。
【０００７】
ところで、近年、普及が著しいスマートフォンやタブレット端末などの携帯型情報処理端末は、ネットワークを介した通信機能やＧＰＳ機能、など多様な機能を備えているので、再現性の悪い故障のモニタ装置としてこれを活用することが望まれる。
【０００８】
本発明は、上記の問題を解決しようとするものであり、再現性の悪い故障の原因を突き止めるための情報を収集するように携帯型情報処理端末を機能させるプログラムを提供することを目的としている。
【課題を解決するための手段】
【０００９】
かかる目的を達成するための本発明の要旨とするところは、次の各項の発明に存する。
【００１０】
［１］携帯型情報処理端末を、
燃焼装置の故障の原因になる所定の環境要素の状況を検出する検出部、
前記携帯型情報処理端末が前記燃焼装置の設置場所の周辺に存在するか否かを判定する位置判定部、
前記携帯型情報処理端末が、前記燃焼装置の設置場所の周辺に存在する場合に前記検出部による検出結果のログを記録する記録部、
として機能させ、
前記環境要素は、無線電波によるノイズを含み、
前記検出部は、前記携帯型情報処理端末が備えるタッチセンサのノイズ耐性処理の稼働状況に基づいて前記ノイズのレベルを推定する
ことを特徴とするプログラム。
【００１１】
上記発明では、携帯型情報処理端末を利用して、燃焼装置の故障の原因になる各種の環境要素、たとえば、温度、湿度、高周波ノイズレベルなどのログを取る。特に上記発明では、無線ノイズは、再現性の悪い故障の原因になり得るので、そのログを取る。また、携帯型情報処理端末が備えるタッチセンサは、高周波ノイズの影響でタッチ操作を誤検知しないように、感度の調整などのノイズ耐性処理を行っている。そこで、本発明のプログラムは、タッチセンサのノイズ耐性処理の稼働状況から無線ノイズのレベルを推定する。
【００１３】
上記発明では、携帯型情報処理端末は使用者に所持されて各所に持ち運ばれるので、携帯型情報処理端末が燃焼装置の設置場所の近傍に存在する場合にその場所の環境要素のログを取る。
［２］携帯型情報処理端末を、
燃焼装置の故障の原因になる所定の環境要素の状況を検出する検出部、
前記携帯型情報処理端末が前記燃焼装置の設置場所の周辺に存在するか否かを判定する位置判定部、
前記燃焼装置から故障の発生を示す故障情報を取得する故障情報取得部、
前記携帯型情報処理端末が、前記燃焼装置の設置場所の周辺に存在する場合に前記検出部による検出結果のログと前記故障情報とを時間的に対応付けて記録する記録部、
として機能させる
ことを特徴とするプログラム。
上記発明では、故障の発生時刻と、その時刻のログとを対比することで故障の原因を推定することが可能になる。
［３］前記携帯型情報処理端末を、
前記記録部に記録されている前記故障情報と前記ログとに基づいて、前記故障情報が示す故障の原因を推定する推定部としてさらに機能させる
ことを特徴とする［２］に記載のプログラム。
［４］前記環境要素は、無線電波によるノイズを含み、
前記検出部は、前記携帯型情報処理端末が備えるタッチセンサのノイズ耐性処理の稼働状況に基づいて前記ノイズのレベルを推定する
ことを特徴とする［２］または［３］に記載のプログラム。
【００１４】
［５］前記携帯型情報処理端末は、全地球測位システムによって自端末の位置を認識する機能を備え、
前記携帯型情報処理端末を、前記全地球測位システムによって認識した自端末の位置の履歴に基づいて、前記燃焼装置の設置場所を特定する設置場所特定部としてさらに機能させる
ことを特徴とする［１］乃至［４］のいずれか１つに記載のプログラム。
【００１５】
上記発明では、携帯型情報処理端末のＧＰＳ機能を利用して、使用者の自宅の場所を推定し、その場所を燃焼装置の設置場所に特定する。
【００１８】
［６］前記環境要素は、気温、湿度の少なくとも一方を含む、
ことを特徴とする［１］乃至［５］のいずれか１つに記載のプログラム。
【００１９】
上記発明では、気温や湿度が、異常に高い又は低い状況は、再現性の悪い故障の原因になり得るので、それらのログをとる。
【発明の効果】
【００２３】
本発明に係るプログラムによれば、携帯型情報処理端末を利用して、再現性の悪い故障の原因を突き止めるための情報を収集することができる。
【図面の簡単な説明】
【００２４】
【図１】本発明の実施の形態に係る風呂給湯器システムの構成例を示す図である。
【図２】携帯型情報処理端末の構成を示すブロック図である。
【図３】本発明に係る記録処理の手順を示す流れ図である。
【図４】故障原因推定処理を示す流れ図である。
【発明を実施するための形態】
【００２５】
以下、図面に基づき本発明の実施の形態を説明する。
【００２６】
図１は、本発明の実施の形態に係る風呂給湯器システム８の構成例を示している。風呂給湯器システム８は、燃焼装置としての風呂給湯器１０と、タブレット端末やスマートフォンなどの携帯型情報処理端末３０を備えて構成される。携帯型情報処理端末３０には、該携帯型情報処理端末３０を、風呂給湯器１０のリモートコントローラとして機能させるためのアプリケーションプログラム（風呂給湯器アプリと略する）がインストールされている。
【００２７】
風呂給湯器１０は、給水を加熱して所定の出湯栓３へ出湯する機能、浴槽２へ注湯（湯張り）する機能、浴槽２内の湯水を追い焚きする機能などを備えている。また、設定された予約時刻になったら浴槽２へ湯張りする風呂の予約機能を有している。
【００２８】
風呂給湯器１０は、ガス供給会社等のガス供給源から供給される燃焼ガスをバーナ（燃焼部）１１で燃焼させて熱交換器１２を加熱する。給水は、熱交換器１２の水管を通る際に熱交換器１２から受熱して昇温される。
【００２９】
風呂給湯器システム８の使用者の自宅には、インターネットに接続された無線ルータ６が設けられ、風呂給湯器１０と携帯型情報処理端末３０はこの無線ルータ６が提供する無線ＬＡＮ（Local Area Network）に接続されている。この接続において、風呂給湯器１０のゲートウエイアドレス（無線ＬＡＮルータ６のＬＡＮ側アドレス）と携帯型情報処理端末３０のゲートウエイアドレスを一致させる（風呂給湯器１０と携帯型情報処理端末３０とをホームネットワークに接続する）。風呂給湯器１０と携帯型情報処理端末３０は無線ルータ６を介した無線ＬＡＮを通じて通信する。
【００３０】
無線ルータ６を介することで、風呂給湯器１０と携帯型情報処理端末３０が通信可能な距離は、一定距離以内（例えば、携帯型情報処理端末３０の自宅及びその周辺）に制限される。
【００３１】
インターネットには、各種のＷｅｂサーバが接続されており、携帯型情報処理端末３０は、インターネット上の任意のＷｅｂサイト７から各種の情報を取得することができる。
【００３２】
風呂給湯器１０は、当該風呂給湯器１０の動作を制御する制御基板１４を備えている。制御基板１４は、ＣＰＵ（Central Processing Unit）、ＲＯＭ（Read Only Memory）、ＲＡＭ（Random Access Memory）を主要部として構成されており、ＣＰＵがＲＯＭに格納されているプログラムを実行することで、風呂給湯器１０として機能が実現される。制御基板１４は、無線ＬＡＮに接続して通信するための通信Ｉ／Ｆ（Interface）、風呂給湯器１０が備える各センサの検出値を入力する入力Ｉ／Ｆ、ガス比例弁、送風ファンなどに制御信号を出力する出力Ｉ／Ｆ等を備えている。
【００３３】
風呂給湯器１０は自装置の動作状態を監視し、故障の発生を検出する。たとえば、故障の発生として、点火不良が生じたことなどを検出する。故障の発生を検出した場合、風呂給湯器１０は、故障の発生および故障の内容を携帯型情報処理端末３０に通知するようになっている。
【００３４】
携帯型情報処理端末３０は、風呂給湯器アプリを使用することで、風呂給湯器１０のリモートコントローラとして機能する。すなわち、風呂給湯器１０の運転に関する指示を使用者から受け付ける機能および風呂給湯器１０の運転状態を表示する機能などを果たす。たとえば、給湯温度の設定、風呂温度の設定、風呂の予約設定、風呂の自動運転（浴槽２に注湯し、風呂設定温度に保持する機能）のオン／オフ、などの指示を受け付けたり、これらに関する情報やエラー情報を表示したりする。
【００３５】
また、携帯型情報処理端末３０は、風呂給湯器アプリを実行することで、再現性の悪い故障の原因を突き止めるために、故障の原因になる所定の環境要素の状況を検出し、その検出結果のログを記録する機能、および該ログを解析して故障の原因を推定する機能等を果たす。なお、再現性の悪い故障の修理依頼を受けた時に、利用者の携帯型情報処理端末３０に風呂給湯器アプリが入っていない場合には、インストールを依頼して、ログを取れるようにする。
【００３６】
風呂給湯器１０のリモコンとして機能する携帯型情報処理端末３０は、使用者から受け付けた設定や指示の内容を風呂給湯器１０に送信する。また、風呂給湯器１０から各種の情報を受信して表示する。
【００３７】
図２は、携帯型情報処理端末３０の概略構成を示している。携帯型情報処理端末３０は、当該携帯型情報処理端末３０の動作を統括制御する制御部としてのＣＰＵ３１を備えている。ＣＰＵ３１には、ＲＯＭ３２、ＲＡＭ３３、不揮発メモリ３４、操作部３５、表示部３８、通信部３９、姿勢検出部４１、ＧＰＳ機能部４２、音声出力部４３、カメラ（カメラデバイス）４４などが接続されている。
【００３８】
ＲＯＭ３２には、各種の固定データが格納される。不揮発メモリ３４は、電源をオフにしても記憶内容を保持する書き換え可能なメモリであり、ＯＳ（Operating System）のプログラム、風呂給湯器アプリを含む各種のアプリケーションプログラム、各種の設定内容などが記憶される。
【００３９】
ＣＰＵ３１が不揮発メモリ３４に格納された風呂給湯器アプリを実行することで、携帯型情報処理端末３０は風呂給湯器１０のリモコンとして機能する、また、故障情報や故障の原因になる所定の環境要素のログを記録する機能、故障の原因を推定する機能を果たす。
【００４０】
ＲＡＭ３３はＣＰＵ３１がアプリケーションプログラムを実行する際に各種のデータを一時的に格納するワークメモリや表示データを一時記憶するメモリとして使用される。
【００４１】
表示部３８は、操作画面や設定画面等を表示可能な液晶ディスプレイなどで構成される。
【００４２】
操作部３５は、ユーザから各種の操作を受け付ける機能を果たす。操作部３５は、表示部３８の画面上に設けられ、指やペンなどによって押下された位置を検出するタッチセンサ（タッチパネル）３６のほか、少数のハードキーなどで構成される。コントロールユニット３７はタッチセンサ３６の感度の調整やノイズキャンセル等を行う。
【００４３】
通信部３９は、無線ＬＡＮによって風呂給湯器１０や他の外部装置、インターネット上のＷｅｂサイト７と通信する機能を果たす。
【００４４】
姿勢検出部４１は、ジャイロや加速度センサを利用して携帯型情報処理端末３０の姿勢を検出する。姿勢検出部４１により、携帯型情報処理端末３０が縦長の向きで使用されているか、横長の向きで使用されているか、携帯型情報処理端末３０がユーザに所持されているか、どこかに置かれているか等が検出される。
【００４５】
ＧＰＳ機能部４２は、全地球測位システム（ＧＰＳ：Global Positioning System）を利用して、携帯型情報処理端末３０の現在の位置（緯度、経度等）を特定する機能を果たす。
【００４６】
音声出力部４３は、アンプ、スピーカを備え、電気的な音声信号を音波に変換して出力する。カメラ(カメラデバイス)４４は、映像を撮影する機能を果たし、携帯型情報処理端末３０の背面に、あるいは背面と正面にそれぞれ設けられる。
【００４７】
風呂給湯器アプリによって動作する携帯型情報処理端末３０は、風呂給湯器１０の故障の原因になる所定の環境要素の状況を検出する検出部、検出部による検出結果のログを記録する記録部、風呂給湯器１０から故障の発生を示す故障情報を取得する故障情報取得部、記録部に記録されている故障情報とログとに基づいて故障情報が示す故障の原因を推定する推定部、としての機能を果たす。
【００４８】
次に、風呂給湯器システム８において、再現性の悪い故障の原因を突き止めるために、気温（温度）、湿度、ノイズ等の環境要素の状況のログと故障の発生情報とを時間的に対応付けて記録する記録処理について説明する。
【００４９】
図３は、記録処理の概略を示す流れ図である。まず、風呂給湯器アプリに基づいて動作する携帯型情報処理端末３０は、風呂給湯器１０の設置場所を特定する（ステップＳ１０１、設置場所特定部）。設置場所の特定は以下のように行う。
【００５０】
（１）ユーザに自宅の位置を指定させる方法
たとえば、ユーザが風呂給湯器１０の設置場所の近く（たとえば、ユーザの自宅のリビング）に居るときに、風呂給湯器アプリが稼働している携帯型情報処理端末３０に対して、現在自宅に居る旨の入力操作をユーザに行ってもらい、ＧＰＳ機能を使用して、そのときの携帯型情報処理端末３０の位置の緯度、経度を取得し、これを風呂給湯器１０の設置場所に特定する。
【００５１】
（２）ユーザの行動パターンからユーザの自宅（自宅＝風呂給湯器１０の設置場所）を特定する方法
たとえば、携帯型情報処理端末３０が備えるＧＰＳ機能を利用して、携帯型情報処理端末３０の位置の履歴を記録し、該履歴を解析してユーザの自宅の位置（風呂給湯器１０の設置場所）を特定する。
【００５２】
携帯型情報処理端末３０の位置の履歴の解析は、たとえば、以下のような条件で行う。
【００５３】
・一定時間以上、同じ姿勢が継続している、
・夜間である、
・携帯型情報処理端末３０が充電中である、
・毎日、同じ場所に戻ってきている、
・風呂の自動運転が行われている時間に居る場所である、
・風呂給湯器１０と通信可能な状態のときに居る場所である、
などの条件から、自宅に居ると推定されたときのＧＰＳ情報から自宅の場所（≒風呂給湯器１０の設置場所）を特定する。
【００５４】
なお、住所等をユーザに入力させることで、風呂給湯器１０の設置場所を特定してもよい。
【００５５】
次に、風呂給湯器アプリで動作する携帯型情報処理端末３０は、再現性の悪い故障の原因となる環境要素のログや故障情報の記録を開始する旨の指示（記録開始指示）をユーザから受けるのを待つ（ステップＳ１０２；Ｎｏ）。携帯型情報処理端末３０の操作部３５にて記録開始指示を受けたら（ステップＳ１０２；Ｙｅｓ）、携帯型情報処理端末３０の現在位置をＧＰＳ機能で取得し、現在位置が風呂給湯器１０の設置場所の近傍か否かを判定する（ステップＳ１０３）。
【００５６】
なお、携帯型情報処理端末３０が風呂給湯器１０と無線ＬＡＮ等を介して通信可能な場合は、風呂給湯器１０の設置場所の近くに携帯型情報処理端末３０が存在すると判定してもよい。この判定方法の場合、風呂給湯器１０の設置場所を特定しなくてもよい。
【００５７】
携帯型情報処理端末３０の現在位置が、風呂給湯器１０の設置場所の近傍でなければ（ステップＳ１０３；Ｎｏ）、故障原因のログや故障情報の記録を行わずに、ステップＳ１１１に移行する。
【００５８】
携帯型情報処理端末３０の現在位置が、風呂給湯器１０の設置場所の近傍の場合は（ステップＳ１０３；Ｙｅｓ）、故障の原因になる所定の環境要素の状況を示す情報を収集して記録する（ステップＳ１０４〜Ｓ１０６）。具体的には、風呂給湯器１０の設置場所の周辺の気温、湿度等の気象情報と（ステップＳ１０４）、無線電波によるノイズレベルを取得し（ステップＳ１０５）、該取得した気象情報と、ノイズレベルと、これらの計測日時とを対応付けたものをログとして不揮発メモリ３４に記録する。
【００５９】
気象情報の取得は、次のようにして行う。
・携帯型情報処理端末３０が、温度、湿度を検出するセンサを備える場合には、それらのセンサの検出値から風呂給湯器１０の設置場所の気温や湿度を取得する。温度センサが携帯型情報処理端末３０の内部温度を検出する場合は、検出された内部温度を補正して周囲の気温を推定する。
・インターネット上の所定のＷｅｂサイト７にアクセスして、風呂給湯器１０の設置場所の気温、湿度の情報を取得する。
【００６０】
ノイズレベルは、タッチセンサ３６のコントロールユニット３７によるノイズ耐性処理の稼働状況から検出（推定）する。コントロールユニット３７は、周囲の無線ノイズの影響を受けてタッチセンサ３６が誤検知しないように、ノイズ耐性処理を行う。ノイズ耐性処理は、無線ノイズを検出し、検出した無線ノイズのレベルに応じて、タッチセンサ３６の感度やマルチタッチキャンセル処理の設定等を変更する。そこで、風呂給湯器アプリは、タッチセンサ３６のコントロールユニット３７が行うノイズ耐性処理の稼働状況を調べて無線電波によるノイズレベルを検出（推定）する。
【００６１】
ノイズ耐性処理では、閾値調整、ドリフト補正、マルチタッチキャンセル処理、計測周期の調整、などが行われるので、それらの状況から無線ノイズのレベルを推定する。
【００６２】
たとえば、閾値調整では、非タッチ時の計測値の平均値とタッチ時の計測値との差分と比較される閾値を調整する。上記差分が閾値を超える場合にタッチ状態と判定される。閾値はタッチ感度と共にノイズに対する余裕度に影響を与える。コントロールユニット３７は、ノイズレベルが高くなると、閾値を高めるように閾値調整を行うので、風呂給湯器アプリは、コントロールユニット３７が設定している閾値からノイズレベルを推定することができる。
【００６３】
また、強い高周波ノイズを受けると、タッチセンサ３６の電極にノイズが一様に印加されてタッチが多点で発生したとの誤検知が生じる。コントロールユニット３７は、ノイズレベルが高いときには、上記の誤検知を防止するためにマルチタッチキャンセル処理（複数箇所で同時にタッチを受けた場合にそれらのタッチを無効にする処理）を実施するので、風呂給湯器アプリは、コントロールユニット３７がマルチタッチキャンセル処理を稼働させているか否かに基づいてノイズレベルを推定する。
【００６４】
このように、タッチセンサ３６のコントロールユニット３７によるノイズ耐性処理の稼働状況に基づいて、高周波ノイズ（無線電波によるノイズ）の発生状況（ノイズレベル）を推定するので、高周波ノイズを検出するためのセンサを別途設けることなく、ノイズレベルを認識することができる。
【００６５】
風呂給湯器アプリで動作する携帯型情報処理端末３０は、上記のようにして取得した気温、湿度、ノイズレベル等の情報を、これらの計測日時と対応付けて不揮発メモリ３４にログとして記録する(ステップＳ１０６)。
【００６６】
次に、風呂給湯器１０から故障発生の情報を受信したか否かを調べ（ステップＳ１０７）、故障発生の情報を受信した場合は（ステップＳ１０７；Ｙｅｓ）、故障の内容と故障の発生時刻を記録（不揮発メモリ３４に記憶）する（ステップＳ１０８）。
【００６７】
次に、ログの記録モードが全記録モードに設定されているか否かを調べる（ステップＳ１０９）。全記録モードの場合は（ステップＳ１０９；Ｙｅｓ）、ステップＳ１１１に移行する。全記録モードでは、すべてのログが消去されずに残される。
【００６８】
全記録モードでなければ(ステップＳ１０９；Ｎｏ)、故障発生時を中心にその前後の所定期間のログのみを残し、それ以外の期間のログは削除して（ステップＳ１１０）、ステップＳ１１１に移行する。たとえば、故障発生時刻の前後１０分間のログを残し、それ以外のログは不揮発メモリ３４から削除する。これにより、不揮発メモリ３４の記憶領域の消費を抑えることができる。記録を取る期間が長くなった場合でも、不揮発メモリ３４の容量不足でログを記録できないといった事態が回避される。
【００６９】
ステップＳ１１１では、記録終了の指示を受けたか否かを判定し、記録終了の指示を受けていない場合は(ステップＳ１１１；Ｎｏ)、ステップＳ１０２に戻って処理を継続する。記録終了の指示を受けた場合は(ステップＳ１１１；Ｙｅｓ)、本処理を終了する。
【００７０】
図４は、図３の処理で記録したログと故障情報とから故障の原因を推定する処理の流れを示している。まず、不揮発メモリ３４から故障の記録を抽出し（ステップＳ２０１）、該故障の発生時刻の前後所定期間における温度、湿度、ノイズレベルのログを不揮発メモリ３４から読み出して解析する（ステップＳ２０２）。
【００７１】
故障発生時刻の温度、湿度等の各気象要素の値が予め定めた正常範囲に入っているか否かを調べ（ステップＳ２０３）、正常範囲外であれば（ステップＳ２０３；Ｙｅｓ）、正常範囲外となった気象要素を故障の原因に推定する（ステップＳ２０４）。
【００７２】
同様にして、故障発生時刻のノイズレベルが予め定めた正常範囲に入っているか否かを調べ（ステップＳ２０５）、正常範囲外であれば（ステップＳ２０５；Ｙｅｓ）、無線ノイズを故障の原因に推定する（ステップＳ２０６）。
【００７３】
そして、推定した故障の原因を携帯型情報処理端末３０の表示部３８に表示して（ステップＳ２０７）、本処理を終了する。たとえば、１ヶ月後に、利用者に故障の内容、故障の発生時刻、推定した故障の原因などの表示を依頼してその表示内容を連絡してもらい、故障の原因に対応する修理部品を持って利用者宅に伺い、修理する。この時、ログのデータを直接携帯型情報処理端末３０から取得できるようにし、故障の原因を推定し、故障の原因に対応する修理部品を持って利用者宅に伺ってもよい。また、詳細情報の表示要求を受けた場合には、故障発生時の温度、湿度、ノイズレベルなどの値を表示したり、故障発生時刻前後のログを表示したりする。これにより、雷雲によるノイズなのか、トラック等の違法無線なのか等の故障発生時の状況（例えば周波数、強度等）等から、修理の要否を判断し、修理ではなく説明にとどめたり、対応する修理部品を持って利用者宅に伺ったりしても良い。
【００７４】
以上のように、風呂給湯器アプリが稼働する携帯型情報処理端末３０で、再現性の悪い故障の原因となる温度、湿度、無線ノイズのレベルなどを検出し、その検出結果のログを記録するので、専用のモニタ装置を設置することなく、温度、湿度、ノイズレベル等のログを容易に取ることができる。
【００７５】
携帯型情報処理端末３０は、使用者に所持されて自宅以外の場所に持ち出されることもあるが、携帯型情報処理端末３０のＧＰＳ機能を利用して、携帯型情報処理端末３０が風呂給湯器１０の設置場所の近傍に居るときにのみログを取るので、風呂給湯器１０の設置場所以外の無関係の場所の温度、湿度、ノイズレベルなどをログとして記録したり、無関係の場所のノイズ等を故障の原因に誤判定したりすることが防止される。
【００７６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７７】
実施の形態では、燃焼装置として風呂給湯器１０を例示したが、燃焼装置はこれに限定されるものではない。実施の形態では、携帯型情報処理端末３０は、風呂給湯器アプリにより風呂給湯器１０のリモコンとして機能する例を示したが、本発明のプログラムは、図３、もしくは図３及び図４の処理を実行できればよく、風呂給湯器１０のリモコンとしての機能を果たさなくてもよい。
【符号の説明】
【００７８】
２…浴槽
３…出湯栓
６…無線ルータ
７…Ｗｅｂサイト
８…風呂給湯器システム
１０…風呂給湯器
１１…バーナ
１２…熱交換器
１４…制御基板
３０…携帯型情報処理端末
３１…ＣＰＵ
３２…ＲＯＭ
３３…ＲＡＭ
３４…不揮発メモリ
３５…操作部
３６…タッチセンサ（タッチパネル）
３７…コントロールユニット
３８…表示部
３９…通信部
４１…姿勢検出部
４２…ＧＰＳ機能部
４３…音声出力部
４４…カメラ（カメラデバイス）
【図１】
0006584222.tif 000002
【図２】
0006584222.tif 000003
【図３】
0006584222.tif 000004
【図４】
0006584222.tif 000005